【手続補正書】
【提出日】平成30年10月2日(2018.10.2)
【手続補正１】
【補正対象書類名】特許請求の範囲
【補正対象項目名】全文
【補正方法】変更
【補正の内容】
【特許請求の範囲】
【請求項１】
マルチレイヤビットストリームのビデオ情報の復号の間にランダムアクセスを開始するかどうかを決定するための方法であって、
少なくとも1つのリカバリポイントsupplemental enhancement information(SEI)メッセージを含むビデオ情報を記憶するステップと、
前記少なくとも1つのリカバリポイントSEIメッセージがピクチャオーダーカウント(POC)セマンティクス値をリセットするための指示を備えるかどうかを決定するステップと、
前記リカバリポイントSEIメッセージがアクセスユニット中に存在するかどうかに関する第1の制約、ピクチャとの前記リカバリポイントSEIメッセージの関連に関する第2の制約、または、レイヤのセットへの前記リカバリポイントSEIメッセージの適用に関する第3の制約の少なくとも1つを特定するステップと、
前記第1の制約と前記第2の制約の少なくとも1つに基づいて、前記ランダムアクセスおよび前記アクセスユニットからの復号を開始するかどうかを決定するステップと、
前記リカバリポイントSEIメッセージと関連付けられる領域リフレッシュ情報SEIメッセージを特定するステップであって、前記領域リフレッシュ情報SEIメッセージが、リフレッシュされる領域の識別子と、前記リフレッシュされる領域が他のレイヤまたはセグメントに依存するときに前記リフレッシュされる領域が依存する前記レイヤの識別子とを示すように構成される、セマンティクスを備える、ステップとを備える、方法。
【請求項２】
ランダムアクセスを開始し復号を開始すると決定すると、前記少なくとも1つのリカバリポイントSEIメッセージの前記POCセマンティクス値と関連付けられるセマンティクスの値を導出するステップと、
前記リカバリポイントSEIメッセージが前記ピクチャに適用されるものとして特定されるとき、前記少なくとも1つのリカバリポイントSEIメッセージを、前記ピクチャ、レイヤの前記セットのうちのレイヤ、または前記アクセスユニットと関連付けるステップと、
前記ピクチャ、レイヤの前記セットのうちの前記レイヤ、または前記アクセスユニットとの、前記少なくとも1つのリカバリポイントSEIメッセージの前記関連に少なくとも一部基づいて、前記ビデオ情報をコーディングするステップとをさらに備える、請求項1に記載の方法。
【請求項３】
前記POCセマンティクス値と関連付けられる前記セマンティクスの値を導出するステップが、前記リカバリポイントSEIメッセージを備える前記アクセスユニットが前記マルチレイヤビットストリームにおいて復号順序で最初のアクセスユニットであると決定するステップを備える、請求項2に記載の方法。
【請求項４】
前記リカバリポイントSEIメッセージの前記POCセマンティクスと関連付けられる前記セマンティクスが、前記リカバリポイントSEIメッセージと関連付けられるピクチャのスライスヘッダ中に存在するかどうかを決定するステップと、POCの最上位ビットの値の存在に基づいて、前記POCのセマンティクスと関連付けられる前記セマンティクスの前記値を計算するステップとをさらに備える、請求項3に記載の方法。
【請求項５】
前記リカバリポイントSEIメッセージの前記POCセマンティクスと関連付けられる前記セマンティクスが、前記リカバリポイントSEIメッセージと関連付けられるピクチャのスライスヘッダ中に存在しないかどうかを決定するステップと、特定のレイヤのための以前のPOCの値を0として確立するステップとをさらに備える、請求項3に記載の方法。
【請求項６】
デコーダがランダムアクセスを開始することと、レイヤの上位切替えとの少なくとも1つの後で、およびエンコーダがブロークンリンクを示すことの後で、許容範囲にあるピクチャを現在のレイヤにおいて復号すると決定するステップをさらに備える、請求項2に記載の方法。
【請求項７】
前記領域リフレッシュ情報SEIメッセージが適用される1つまたは複数の領域がリフレッシュされるかどうかを示す前記領域リフレッシュ情報SEIメッセージを特定するステップをさらに備え、リフレッシュされる領域が、前記1つまたは複数の領域が正常であり適切にコーディングされることを示す、請求項1に記載の方法。
【請求項８】
前記1つまたは複数の領域がリフレッシュされることを示す前記領域リフレッシュ情報SEIメッセージが、前記リフレッシュされる領域が任意の他のレイヤまたはセグメントとは独立にリフレッシュされ、前記他のレイヤまたはセグメントに依存しないことと、前記リフレッシュされる領域が依存するすべての他のレイヤまたはセグメントがリフレッシュされることとのいずれかを示す、請求項7に記載の方法。
【請求項９】
前記領域リフレッシュ情報SEIメッセージが、前記リフレッシュされる領域が前記他のレイヤと独立にリフレッシュされるとき、前記現在のレイヤおよび前記リフレッシュされる領域だけの識別子を示すように構成される、セマンティクスを備える、請求項8に記載の方法。
【請求項１０】
マルチレイヤビットストリームのビデオ情報の復号の間にランダムアクセスを開始するかどうかを決定するためのデバイスであって、
少なくとも1つのリカバリポイントsupplemental enhancement information(SEI)メッセージを含むビデオ情報を記憶するための手段と、
前記少なくとも1つのリカバリポイントSEIメッセージがピクチャオーダーカウント(POC)セマンティクス値をリセットするための指示を備えるかどうかを決定するための手段と、
前記リカバリポイントSEIメッセージがアクセスユニット中に存在するかどうかに関する第1の制約、ピクチャとの前記リカバリポイントSEIメッセージの関連に関する第2の制約、または、レイヤのセットへの前記リカバリポイントSEIメッセージの適用に関する第3の制約の少なくとも1つを特定するための手段と、
前記第1の制約と前記第2の制約の少なくとも1つに基づいて、前記ランダムアクセスおよび前記アクセスユニットからの復号を開始するかどうかを決定するための手段と、
前記リカバリポイントSEIメッセージと関連付けられる領域リフレッシュ情報SEIメッセージを特定するための手段であって、前記領域リフレッシュ情報SEIメッセージが、リフレッシュされる領域の識別子と、前記リフレッシュされる領域が他のレイヤまたはセグメントに依存するときに前記リフレッシュされる領域が依存する前記レイヤの識別子とを示すように構成される、セマンティクスを備える、手段とを備える、デバイス。
【請求項１１】
ランダムアクセスおよび復号を開始するかどうかを決定するための前記手段がランダムアクセスを開始し復号を開始すると決定すると、前記少なくとも1つのリカバリポイントSEIメッセージの前記POCセマンティクス値と関連付けられるセマンティクスの値を導出するための手段と、
前記リカバリポイントSEIメッセージが前記ピクチャに適用されるものとして特定されるとき、前記少なくとも1つのリカバリポイントSEIメッセージを、前記ピクチャ、レイヤの前記セットのうちのレイヤ、または前記アクセスユニットと関連付けるための手段と、
前記ピクチャ、レイヤの前記セットのうちの前記レイヤ、または前記アクセスユニットとの、前記少なくとも1つのリカバリポイントSEIメッセージの前記関連に少なくとも一部基づいて、前記ビデオ情報をコーディングするための手段とをさらに備える、請求項10に記載のデバイス。
【請求項１２】
前記POCセマンティクス値と関連付けられる前記セマンティクスの値を導出するための前記手段が、前記リカバリポイントSEIメッセージを備える前記アクセスユニットが前記マルチレイヤビットストリームにおいて復号順序で最初のアクセスユニットであると決定するための手段を備える、請求項11に記載のデバイス。
【請求項１３】
前記リカバリポイントSEIメッセージの前記POCセマンティクス値と関連付けられる前記セマンティクスが、前記リカバリポイントSEIメッセージと関連付けられるピクチャのスライスヘッダ中に存在するかどうかを決定するための手段と、POCの最上位ビットの値の存在に基づいて、前記POCのセマンティクス値と関連付けられる前記セマンティクスの前記値を計算するための手段とをさらに備える、および/または、
前記リカバリポイントSEIメッセージの前記POCセマンティクスと関連付けられる前記セマンティクスが、前記リカバリポイントSEIメッセージと関連付けられるピクチャのスライスヘッダ中に存在しないかどうかを決定するための手段と、特定のレイヤのための以前のPOCの値を0として確立するための手段とをさらに備える、請求項12に記載のデバイス。
【請求項１４】
前記プロセッサがさらに、デコーダがランダムアクセスを開始することと、レイヤの上位切替えとの少なくとも1つの後で、およびエンコーダがブロークンリンクを示すことの後で、許容範囲にあるピクチャを現在のレイヤにおいて復号すると決定するように構成される、および/または、前記プロセッサがさらに、領域リフレッシュ情報SEIメッセージが適用される1つまたは複数の領域がリフレッシュされるかどうかを示すように構成される前記領域リフレッシュ情報SEIメッセージを特定するように構成され、リフレッシュされる領域が、前記1つまたは複数の領域が正常であり適切にコーディングされることを示す、および/または、前記1つまたは複数の領域がリフレッシュされることを示す前記領域リフレッシュ情報SEIメッセージが、前記リフレッシュされる領域が任意の他のレイヤまたはセグメントとは独立にリフレッシュされ、前記他のレイヤまたはセグメントに依存しないことと、前記リフレッシュされる領域が依存するすべての他のレイヤまたはセグメントがリフレッシュされることとのいずれかを示す、および/または、前記領域リフレッシュ情報SEIメッセージが、前記リフレッシュされる領域の識別子と、前記リフレッシュされる領域が他のレイヤまたはセグメントに依存するときに前記リフレッシュされる領域が依存する前記レイヤまたはセグメントの識別子とを示すように構成される、セマンティクスを備え、前記領域リフレッシュ情報SEIメッセージが、前記リフレッシュされる領域が前記他のレイヤと独立にリフレッシュされるとき、前記現在のレイヤおよび前記リフレッシュされる領域だけの識別子を示すように構成される、セマンティクスを備える、請求項10に記載のデバイス。
【請求項１５】
実行されると、デバイスのプロセッサに、請求項1から9のいずれか一項に記載の方法を実行させる命令を記憶した、コンピュータ可読記憶媒体。